(57)【要約】【課題】圧電ユニットの打撃機構を構成する撥條力が比較的に強いことから、着火操作子の押込操作が軽快にできない。【解決手段】弁操作レバー７は、一端７ａ１  側がガス噴出ノズル８の頸部に係止され他端７ａ２  側が前記圧電ユニット４に臨むように揺動自在に配設された第１レバー７ａと、一端７ｂ１  側が回動自在に軸支され他端７ｂ２  側が着火操作子の下に延出する第２レバー７ｂとから構成される。第２レバー７ｂは、同レバー７ｂの軸支部７ｂ３  よりも上位で圧電ユニット４の頂面４ｃに当接する押圧部７ｂ４  を備え、他端７ｂ２  側に着火操作子６の回転運動を上下運動に変換するカム部７ｃを突設する。カム部７ｃは、第２レバー７ｂの他端７ｂ２  に回動自在に突設してなるカム片７ｃ１  と、該カム片７ｃ１  の必要以上の動き阻止するストッパーとを備える。【選択図】図４
2004218876.tif 000002
【特許請求の範囲】
【請求項１】
圧電ユニットを押込方向に操作せしめる着火操作子と、該着火操作子の操作に連動されてバルブを開弁方向に動作させる弁操作レバーとを備えてなるライターにおいて、
前記弁操作レバーは、一端側がガス噴出ノズルの頸部に係止され他端側が前記圧電ユニットに臨むように揺動自在に配設された第１レバーと、一端側が回動自在に軸支され他端側が前記着火操作子の下に延出する第２レバーとからなることを特徴とするライター。
【請求項２】
前記第２レバーは、同レバーの軸支位置よりも上位で圧電ユニットの頂面に当接する押圧部と、着火操作子の回転運動を上下運動に変換するカム部とを備えてなることを特徴とする請求項１に記載のライター。
【請求項３】
前記カム部は、第２レバーの遊端側に回動自在に突設してなるカム片と、該カム片の必要以上の動き阻止するストッパーとを備えてなることを特徴とする請求項２に記載のライター。
【請求項４】
前記ストッパーは、カム部が後方に倒れた際に、第２レバーの固定部に当接すべく同カム部に突設された第１ロックと、着火操作子との相関位置を保持すべく同カム部に突設された第２ロックと、該第２ロックと接合すべく着火操作子の頂部底面に形成されたロック溝と、前記第２ロックに係合すべく同着火操作子の内面長手方向に突設された第３ロックとを備えてなることを特徴とする請求項３に記載のライター。
【発明の詳細な説明】
【０００１】
【発明の属する技術分野】
本発明は、主としてピエゾライターの改良に関し、更に詳しくは、圧電素子への打撃力を弱めることなく軽快に着火操作子を押込操作できる有用なライターに関する。
【０００２】
【従来の技術】
一般に、ガスライターは、着火操作子の押し下げ操作によってガス噴出ノズルが操作されてガスの噴出が始まると共に、着火手段が操作されて火花が発生し、ガス着火が行われるようになっている。
【０００３】
斯かるガスライターには、大別して、圧電素子を打撃機構で打撃して高電圧を生じさせる圧電ユニットを使用し、火花放電で着火させる圧電着火式ライター（以下、単にピエゾライターという）や、発火石をヤスリで擦り、その際の火花で着火させるフリント式ライターがある。
【０００４】
従来、これらガスライターのうち、殊に前述したピエゾライターにあっては、圧電ユニットの打撃機構を構成する撥條力に抗して前記着火操作子を押し込み動作することにより、高電圧を生じせしめると共に、自動的にガス噴出ノズルの弁が開かれ、瞬時に同噴出ノズルに向かっての火花放電が発生し、着火がなされる構造になっている（例えば、実用文献１参照）。
【実用文献１】
実開平６−８４１５８号公報
【０００５】
【発明が解決しようとする課題】
しかしながら、上述した実開平６−８４１５８号に開示のライターにあっては、圧電ユニットの打撃機構を構成する撥條力が比較的に強いことから、着火操作子の押込操作が軽快にできないといった問題があり、圧電素子への打撃力を弱めないでもっと軽快に着火できる操作性の良いライターが要望されている。
【０００６】
本発明はこのような従来の問題点及び要望に鑑みてなされたもので、圧電素子への打撃力を弱めることなく軽快に着火操作子を押込操作できる有用なライターを提供することを目的としたものである。
【０００７】
【課題を解決するための手段】
上述の如き従来の問題点を解決し、所期の目的を達成するため本発明の要旨とする構成は、圧電ユニットを押込方向に操作せしめる着火操作子と、該着火操作子の操作に連動されてバルブを開弁方向に動作させる弁操作レバーとを備えてなるライターにおいて、前記弁操作レバーは、一端側がガス噴出ノズルの頸部に係止され他端側が前記圧電ユニットに臨むように揺動自在に配設された第１レバーと、一端側が回動自在に軸支され他端側が前記着火操作子の下に延出する第２レバーとからなるライターに存する。
【０００８】
また、前記第２レバーは、同レバーの軸支位置よりも上位で圧電ユニットの頂面に当接する押圧部と、着火操作子の回転運動を上下運動に変換するカム部とを備えてなるのが良い。
【０００９】
更に、前記カム部は、第２レバーの遊端側に回動自在に突設してなるカム片と、該カム片の必要以上の動き阻止するストッパーとを備えるのが良い。
【００１０】
前記ストッパーは、カム部が後方に倒れた際に、第２レバーの固定部に当接すべくカム部に突設された第１ロックと、着火操作子との相関位置を保持すべく同カム部に突設された第２ロックと、該第２ロックと接合すべく着火操作子の頂部底面に形成されたロック溝と、前記第２ロックに係合すべく同着火操作子の内面長手方向に突設された第３ロックとを備えるのが良い。
【００１１】
このように構成される本発明のライターは、前記弁操作レバーが、一端側がガス噴出ノズルの頸部に係止され他端側が前記圧電ユニットに臨むように揺動自在に配設された第１レバーと、一端側が回動自在に軸支され他端側が前記着火操作子の下に延出する第２レバーとからなること、延いては、前記第２レバーが、同レバーの軸支位置よりも上位で圧電ユニットの頂面に当接する押圧部と、着火操作子の回転運動を上下運動に変換するカム部とを備えてなることによって、着火操作子を押込動作することにより、前記カム部を押圧しながら第２レバーの遊端側を押し下げることになるが、その際、同第２レバーは、一端側の軸支部を支点に回動しながら前記押圧部で圧電ユニットの内箱を押し込むため、従来に比して（打撃機構を構成する撥條力の）略半分の操作力で押し込み可能となる。
【００１２】
しかも、その一連の押込動作の中で、前記押圧部が圧電ユニットに臨む前記第１レバーの他端側と当接し得ることとなり、そのまま着火操作子の押込動作に連れて前記ガス噴出ノズルを開弁すべく同第１レバーを揺動せしめることとなる。
【００１３】
更に、前記カム部は、第２レバーの遊端側に回動自在に突設してなるカム片と、該カム片の必要以上の動き阻止するストッパーとを備えること、延いては、前記ストッパーが、カム部が後方に倒れた際に、第２レバーの固定部に当接すべく同カム部に突設された第１ロックと、着火操作子との相関位置を保持すべくカム部の頂面に突設された第２ロックと、該第２ロックと接合すべく着火操作子の頂部底面に形成されたロック溝と、前記第２ロックに係合すべく同着火操作子の内面長手方向に突設された第３ロックとを備えることにより、着火操作子の回転運動を上下運動へと変換し得ることとなる。
【００１４】
【発明の実施の形態】
次に本発明に係るライターの実施の一例を図面を参照しながら説明する。図中Ａは、本発明に係るピエゾライターであり、このピエゾライターＡは、図１乃至図２に示すように、所定大きさのライター本体１と、該ライター本体１内に液化ガスを封入せしめるガスタンク２（図２参照）と、該ガスタンク２の開口部を気密に閉鎖する上蓋３とを備えている。
【００１５】
ライター本体１は、ＡＳ樹脂等の適宜素材からなり、取付穴１ａを介して圧電ユニット４が装着されている。圧電ユニット４は、圧電素子を打撃機構で打撃して高電圧を生じせしめるものであり、具体的には、上下方向に伸縮するように相互に嵌め合わされた外箱４ａと内箱４ｂとを有し、内箱４ｂの中には、図示はしないが、圧電素子、ハンマー、復帰バネ等からなる打撃機構が内蔵されており、かつ、後述するガス噴出ノズルの上端側に向けて放電端子５が外設されている。
【００１６】
一方、着火操作子６は、圧電ユニット４の長手方向に沿って上下動すべく摺動自在に組み付けされており、下位に弁操作レバー７が組み付けられている。
【００１７】
この弁操作レバー７は、図３乃至図５に示すように、一端７ａ１  側がガス噴出ノズル８の頸部に係止され他端７ａ２  側が前記圧電ユニット４に臨むように揺動自在に配設された第１レバー７ａと、一端７ｂ１  側が回動自在に軸支され他端７ｂ２  側が前記着火操作子６の下に延出する第２レバー７ｂとから構成されている（図３参照）。
【００１８】
また、前記第２レバー７ｂは、図４及び図５に示すように、同レバー７ｂの軸支部７ｂ３  よりも上位で圧電ユニット４の頂面４ｃに当接する押圧部７ｂ４  と、該押圧部７ｂ４  の左右両端に突出して第１レバー７ａの他端７ａ２  を押込操作する操作部７ｂ５  とを備えており（図５（ｂ）参照）、遊端側に着火操作子６の回転運動を上下運動に変換するカム部７ｃを突設している。
【００１９】
カム部７ｃは、図５に示すように、第２レバー７ｂの他端（遊端）７ｂ２  側に回動自在に突設してなるカム片７ｃ１  と、該カム片７ｃ１  の必要以上の動きを阻止するストッパーＳを備えている。
【００２０】
ストッパーＳは、前記カム片７ｃ１  の下端から下方に向けて延出し、かつ、カム片７ｃ１  が後方に倒れた際に、第２レバー７ｂの他端（遊端）７ｂ２  側の肩部７ｂ６  に当接すべく形成された突起状の第１ロック７ｃ２  と、着火操作子６との相関位置を保持すべくカム片７ｃ１  の頂面に突設された第２ロック７ｃ３  と、該第２ロック７ｃ３  と接合すべく着火操作子６の頂部底面（内部頂面）に形成されたロック溝７ｃ４  と、第２ロック７ｃ３  に係合すべく同着火操作子６の内面長手方向に突設されたレール状の壁からなる第３ロック７ｃ５  とから構成されており、これら第１ロック７ｃ２  、第２ロック７ｃ３  、ロック溝７ｃ４  及び第３ロック７ｃ５  が互いに協働し合って（着火操作子６の押込動作に伴う）カム片７ｃ１  の必要以上な倒れを阻止し、全体をして第２レバー７ｂの回動操作が圧電素子の打撃に必要なストローク長（仕事量）になるように工夫されている。
【００２１】
従って、このように構成される本発明のライターは、ライター本体１を握持する手の親指で着火操作子６を押込動作することにより、図７に示すように、前記カム片７ｃが倒れながら第２レバー７ｂの他端（遊端）７ｂ２  側を押し下げるため、換言すれば、同第２レバー７ｂが、軸支部７ｂ３  を支点に回動しながら同レバー７ｂの略中間（１／２）に位置する押圧部７ｂ４  で圧電ユニット４の内箱４ｂを梃子状態に押込動作するため、圧電素子の打撃に必要な仕事量（ストローク長：４．８ｍｍ）に対し、従来の操作力が１８００〜２１００ｇであるのに比して、略１／２の操作力（９００〜１４００ｇ）で軽快に圧電ユニット４を押し込むことができる。
【００２２】
しかも、その一連の押込動作の中で、前記押圧部７ｂ４  が圧電ユニット４に臨む前記第１レバー７ａの他端７ｂ２  側と当接すべく連動するため、そのまま着火操作子６の押込動作に連れて前記ガス噴出ノズル８を開弁すべく同第１レバー７ａが揺動し、バルブ９を開き方向に動作させて前記ガス噴出ノズル８らガスを噴出させると共に、前記圧電ユニット４が完全に押し込み動作されることにより打撃機構が働き、高電圧を発生して前記噴出ガスに火花放電によって着火するのである（図８参照）。
【００２３】
尚、本発明のライターは本実施例に限定されることなく、本発明の目的の範囲内で自由に設計変更し得るものであり、本発明はそれらの全てを包摂するものである。例えば、本実施例では、第１レバー７ａと第２レバー７ｂとをそれぞれ別々に形成しているが、これに限定されることなく、両レバー７ａ，７ｂを一体的に形成しても良い。
【００２４】
また、本実施例で使用している第１ロック７ｃ２  は、必ずしも必要ではなく、上位の第２ロック７ｃ３  、ロック溝７ｃ４  及び第３ロック７ｃ５  のみでストッパーＳを構成しても良い。
【００２５】
更に、押込操作が軽快にできる本発明の弁操作レバー７を採用することにより、着火操作子６をライター本体１の側面に変位自在に突出するボタン式に換えることもできるものであり、本発明はこれらの全てを包摂するものである。因に、図中１０は放電端子５を位置決めするための区画保持片であり、１１は風防、１２はガス量調整レバーである。
【００２６】
【発明の効果】
本発明は上述のように構成され、前記弁操作レバーは、一端側がガス噴出ノズルの頸部に係止され他端側が前記圧電ユニットに臨むように揺動自在に配設された第１レバーと、一端側が回動自在に軸支され他端側が前記着火操作子の下に延出する第２レバーとからなること、延いては、前記第２レバーが、同レバーの軸支位置よりも上位で圧電ユニットの頂面に当接する押圧部と、着火操作子の回転運動を上下運動に変換するカム部とを備えてなることによって、着火操作子を押込動作することにより、前記第２レバーは、一端側の軸支部を支点に回動しながら前記押圧部で圧電ユニットの内箱を押し込むため、従来に比して（打撃機構を構成する撥條力の）略半分の操作力で軽快に押し込みできるといった効果を奏するものである。
【００２７】
更に、前記カム部は、第２レバーの遊端側に回動自在に突設してなるカム片と、該カム片の必要以上の動き阻止するストッパーとを備えること、延いては、前記ストッパーが、カム部が後方に倒れた際に、第２レバーの固定部に当接すべく同カム部に突設された第１ロックと、着火操作子との相関位置を保持すべく同カム部に突設された第２ロックと、該第２ロックと接合すべく着火操作子の頂部底面に形成されたロック溝と、前記第２ロックに係合すべく同着火操作子の内面長手方向に突設された第３ロックとを備えることにより、これら部材が協働して着火操作子の回転運動を上下運動へと変換できるため、圧電素子の打撃に必要な仕事量（ストローク長）を確保できるといった効果を奏するものである。
【００２８】
このように本発明のライターは、圧電素子への打撃力を弱めることなく軽快に着火操作子を押込操作できる有用なライターを提供できるものであり、また、構成が単純であるため大量生産に適し、価格も低廉なものとして需要者に供給できる等、本発明を実施することはその実益的価値が甚だ大である。
【図面の簡単な説明】
【図１】本発明に係るライターを示す斜視図である。
【図２】同ライターの縦断面図である。
【図３】同ライターの要部分解斜視図である。
【図４】同ライターの要部を示す説明図である。
【図５】同ライターの第２レバーを示す拡大分解斜視図である。
【図６】同ライターの非着火状態を示す説明図である。
【図７】同ライターの着火操作子の押込動作を示す説明図である。
【図８】同ライターの着火状態を示す説明図である。
【符号の説明】
１  ライター本体
１ａ  取付穴
２  ガスタンク
３  上蓋
４    圧電ユニット
４ａ    外箱
４ｂ    内箱
４ｃ    頂面
５    放電端子
６    着火操作子
７    弁操作レバー
７ａ  第１レバー
７ａ１  一端
７ａ２  他端
７ｂ  第２レバー
７ｂ１  一端
７ｂ２  他端
７ｂ３  軸支部
７ｂ４  押圧部
７ｂ５  操作部
７ｂ６  肩部
７ｃ  カム部
７ｃ１  カム片
７ｃ２  第１ロック
７ｃ３  第２ロック
７ｃ４  ロック溝
７ｃ５  第３ロック
８    ガス噴出ノズル
９    バルブ
１０  区画保持片
１１  風防
１２  ガス量調整レバー
Ｓ    ストッパー
【図１】
2004218876.tif 000003
【図２】
2004218876.tif 000004
【図３】
2004218876.tif 000005
【図４】
2004218876.tif 000006
【図５】
2004218876.tif 000007
【図６】
2004218876.tif 000008
【図７】
2004218876.tif 000009
【図８】
2004218876.tif 000010